(57)【要約】【課題】対象物を簡単に取り付けることができ、かつ、取り付け後は不測に外れることのないブラケットを実現する。【解決手段】係止ピン３０が固定されたテレビを壁面に取り付けるためのブラケット１０は、背板部１１と、上板部１３と、下板部１５と、前板部１４と、から構成され、前板部１４と背板部１１との間隔が、上方において広く、下方において狭くなっている。【選択図】図１
2013062785.tif 000002
【特許請求の範囲】
【請求項１】
ピンが取り付けられた対象物を壁面に掛着するためのブラケットであって、
前記壁面に取り付けられる背板部と前記背板部に対向する前板部とを備え、
前記前板部には、該前板部の上端から下方に向かって伸びる案内溝が形成されており、
首部が前記案内溝に嵌めこまれた前記ピンの頭部が前記背板部と前記前板部とにより挟持されるよう、前記背板部と前記前板部との間隔が、上方において広く下方において狭くなっている、ことを特徴とするブラケット。
【請求項２】
前記背板部と前記前板部との間隔を上方において広く下方において狭くするために、上記前板部の前記背板部に対向する面が下方において前記背板部側に迫り出している、ことを特徴とする請求項１に記載のブラケット。
【請求項３】
前記前板部には、該前板部の上端から下方に向かって伸びる２本の案内溝が形成されている、ことを特徴とする請求項１または２に記載のブラケット。
【請求項４】
前記案内溝は、屈曲している、ことを特徴とする請求項１から３の何れか１項に記載のブラケット。
【請求項５】
前記案内溝は、「く」の字状または「逆く」の字状に屈曲している、ことを特徴とする請求項４に記載のブラケット。
【請求項６】
前記対象物は、テレビジョン受像機である、ことを特徴とする請求項１から５の何れか１項に記載のブラケット。
【請求項７】
請求項１から６の何れか１項に記載のブラケットと、上記ピンとを含む取付システム。
【請求項８】
上記ブラケットと共に上記壁面に取り付けられる補助ブラケットであって、前記対象物が揺動しないように前記対象物を支持する補助ブラケットを更に含むことを特徴とする請求項７に記載の取付システム。
【請求項９】
前記ピンの首部は、円柱部と、前記円柱部に挿嵌された回転滑子とを備えていることを特徴とする請求項７または８に記載の取付システム。
【請求項１０】
請求項８に記載の取付システムに含まれるブラケットおよび補助ブラケットを壁面に取り付けるための型紙であって、ブラケットおよび補助ブラケットの取り付け位置が原寸大で記載されていることを特徴とする型紙。
【請求項１１】
表示部の周囲を囲むフレーム部と、
無線通信を行うためのアンテナと、を備えており、
前記アンテナは、アンテナ素子を有し、
前記アンテナ素子は、前記フレーム部の外縁から外側に迫り出して配置されていることを特徴とする表示装置。
【請求項１２】
前記アンテナは、当該表示装置が正置された状態において前記表示部の鉛直方向下側に配置されていることを特徴とする請求項１１に記載の表示装置。
【請求項１３】
前記アンテナは、前記アンテナ素子に結合されたグランド部を有し、
前記グランド部は、前記フレーム部内に配置されていることを特徴とする請求項１１または１２に記載の表示装置。
【請求項１４】
前記アンテナは、平面アンテナであることを特徴とする請求項１１から１３の何れか１項に記載の表示装置。
【請求項１５】
外部からの操作信号を受信する受信回路を更に備え、
前記アンテナと前記受信回路とが、共通の基板上に形成されていることを特徴とする請求項１１から１４の何れか１項に記載の表示装置。
【請求項１６】
前記アンテナは、前記表示装置に複数配置され、
当該複数のアンテナは、ダイバシチアンテナを構成することを特徴とする請求項１１から１５の何れか１項に記載の表示装置。
【請求項１７】
前記アンテナは、当該表示装置が正置された状態において前記表示部の鉛直方向下側に２つ配置されていることを特徴とする請求項１６に記載の表示装置。
【請求項１８】
請求項１１から１７の何れか１項に記載の表示装置を備えていることを特徴とするテレビジョン受像機。
【発明の詳細な説明】
【技術分野】
【０００１】
本発明は、対象物を壁面に掛着するためのブラケットに関する。また、そのようなブラケットを含む取付システムに関する。また、そのようなブラケットを壁面に取り付けるために用いられる型紙に関する。また、壁面に掛着する表示装置およびテレビジョン受像機に関する。
【背景技術】
【０００２】
テレビジョン受像機（以下「テレビ」と略記）は、近年、薄型化が進んでいる。これにより、壁面に設置（掛着）することが可能なテレビも流通している。テレビを壁面に設置する場合、壁面に壁掛け用の金具を設置してテレビを取付ける方法が知られている。
【０００３】
例えば、特許文献１には、基部側にねじ孔を設けるとともに先端部側にほぼ「Ｕ」字状の上下に並設した切り欠きを設けた断面ほぼ「く」字状の一対の板金と、平面ディスプレイの両側面の対称位置に上下に並設した棒状の突起とを具えた平面ディスプレイの壁取付け装置が記載されている。
【先行技術文献】
【特許文献】
【０００４】
【特許文献１】特開平１１−１８０２２号公報（１９９９年１月２２日公開）
【特許文献２】特開２００５−３４１５４７号公報（２００５年１２月８日公開）
【発明の概要】
【発明が解決しようとする課題】
【０００５】
従来のテレビは、本体の質量が大きく（例えば、４０インチで約１０ｋｇ）、このようなテレビを壁面に安定して取り付けるためには、壁掛け用の金具も大きなサイズとする必要があった。図２１に従来技術における壁掛け用金具の一例を示す。図２１に示すように、壁掛け用金具は、複雑な構造を有しており、このような金具を壁面に取り付ける際、および、当該金具にテレビを取り付ける際には、大規模な工事が必要となる。そのため、部屋の模様替え等でテレビの配置を変更したい場合であっても、テレビの配置を簡単には変更できないという問題があった。
【０００６】
また、特許文献１の技術では、テレビに対して下から突き上げる力が加わった場合、すなわち、上記「Ｕ」字状の切り欠きに沿った力が加わった場合、テレビ持ち上がって、板金から外れてしまう可能性がある。
【０００７】
本発明は、上記問題に鑑みてなされたものであり、その目的は、対象物を壁面に簡単に取り付けることができ、かつ、取り付け後は不測に外れることのないブラケットを実現することにある。
【課題を解決するための手段】
【０００８】
上記の課題を解決するために、本発明は、ピンが取り付けられた対象物を壁面に掛着するためのブラケットであって、前記壁面に取り付けられる背板部と前記背板部に対向する前板部とを備え、前記前板部には、該前板部の上端から下方に向かって伸びる案内溝が形成されており、首部が前記案内溝に嵌めこまれた前記ピンの頭部が前記背板部と前記前板部とにより挟持されるよう、前記背板部と前記前板部との間隔が、上方において広く下方において狭くなっている、ことを特徴としている。
【０００９】
上記構成によれば、前記背板部と前記前板部との間隔が、上方において広く下方において狭くなっているため、前記案内溝に嵌めこまれた前記ピンの頭部は、前記案内溝に沿って下方に移動するに従い、前記背板部と前記前板部とにより挟持され、固定される。これにより、対象物を壁面に取り付ける際は、対象物に取り付けられたピンを、案内溝に沿って下方に移動させるだけでよいため、簡単に対象物を壁面に取り付けることができる。また、取り外す際も、対象物を案内溝に沿って上部に移動させるだけでよいため、簡単に対象物を壁面から取り外すことができる。また、取り付けた後は、ピンが案内溝内で挟持されるため、地震などの際に生じ得る対象物と壁面との相対的な振動を抑えることができ、対象物が壁面から不測に外れることを防ぐことができる。
【００１０】
また、上記の構成において、前記背板部と前記前板部との間隔を上方において広く下方において狭くするために、上記前板部の前記背板部に対向する面が下方において前記背板部側に迫り出している、ことが好ましい。
【００１１】
上記の構成によれば、上記前板部の前記背板部に対向する面が下方において前記背板部側に迫り出しているため、対象物を壁面により近接させて固定することができるので、地震などの際に生じ得る対象物と壁面との相対的な振動をより確実に抑え込むことができる。
【００１２】
また、前記前板部には、該前板部の上端から下方に向かって伸びる２本の案内溝が形成されている、ことが好ましい。
【００１３】
上記の構成によれば、前記前板部には、２本の案内溝が形成されているため、対象物を壁面に対して少なくとも２点で固定することができる。したがって、地震などの際に生じ得る対象物と壁面との相対的な振動をより確実に抑え込むことができる。
【００１４】
また、前記案内溝は、屈曲している、ことが好ましい。
【００１５】
上記の構成によれば、前記案内溝は屈曲しているので、地震などの際に対象物と壁面との間に直線的な振動が生じたとしても、対象物がブラケットから外れてしまうことがない。したがって、対象物を壁面に対してより確実に取り付けることができる。
【００１６】
また、前記案内溝は、「く」の字状または「逆く」の字状に屈曲している、ことが好ましい。
【００１７】
上記の構成によれば、前記案内溝は、「く」の字状または「逆く」の字状に屈曲しているので、対象物を壁面に対して容易かつ確実に取り付けることができる。
【００１８】
上記構成によれば、対象物を取り付けた後、例えば、人による不慮の接触や地震等により、対象物に対して下から突き上げる力が加わった場合であっても、上記案内溝は、上記ピンが上方にスライドすることを制限する。また、対象物に対して、斜め下方から力が加わり、「く」の字の案内溝下部に沿って前記ピンが移動する場合であっても、前記ピンは、前記案内溝の屈曲部の存在により、案内溝の上部まで移動することがない。
【００１９】
このように、上記の構成によれば、対象物が前記ブラケットから外れることを防ぐことができる。
【００２０】
また、対象物を取り付ける際、前記ピンが前記案内溝の下部まで急激に落下することを防ぐことができる。
【００２１】
また、前記対象物は、テレビジョン受像機である、ことが好ましい。
【００２２】
上記の構成によれば、テレビジョン受像機を壁面に対して確実に取り付けることができる。
【００２３】
また、本発明に係る取付システムは、上記ブラケットと、上記ピンとを含むことを特徴としている。
【００２４】
上記の取付システムによれば、上記ブラケットと同様の効果を奏する。
【００２５】
また、上記取付システムは、上記ブラケットと共に上記壁面に取り付けられる補助ブラケットであって、前記対象物が揺動しないように前記対象物を支持する補助ブラケットを更に含むことが好ましい。
【００２６】
上記の構成によれば、上記補助ブラケットにより、対象物が揺動しないよう壁面に対して確実に取り付けることができる。換言すれば、地震などの際に生じ得る対象物の前後方向の振動により、対象物の下部が壁面に対して垂直方向にばたつくのを防ぐことができる。
【００２７】
また、上記取付システムにおいて、前記ピンの首部は、円柱部と、前記円柱部に挿嵌された回転滑子とを備えている、ことが好ましい。
【００２８】
上記の構成によれば、前記ピンの首部は、円柱部と、前記円柱部に挿嵌された回転滑子とを備えているので、対象物を壁面に取り付けようとする際、前記ピンは、前記案内溝に沿って滑らかに移動する。
【００２９】
したがって、上記の構成によれば、対象物を壁面に対して容易に取り付けることができる。
【００３０】
また、本発明に係る壁紙は、上記取付システムに含まれるブラケットおよび補助ブラケットを壁面に取り付けるための型紙であって、ブラケットおよび補助ブラケットの取り付け位置が原寸大で記載されていることを特徴としている。
【００３１】
上記の壁紙によれば、ブラケットおよび補助ブラケットの取り付け位置が原寸大で記載されているので、ブラケットおよび補助ブラケットを壁面に対して容易に取り付けることができる。
【００３２】
また、本発明に係る表示装置は、表示部の周囲を囲むフレーム部と、無線通信を行うためのアンテナと、を備えており、前記アンテナは、アンテナ素子を有し、前記アンテナ素子は、前記フレーム部の外縁から外側に迫り出して配置されていることを特徴としている。
【００３３】
ここで、アンテナの全体をフレーム部と重なる箇所であり、表示装置の表示部側に設置したとする。この場合、アンテナが送受信できるビーム方向の範囲は、表示部およびフレーム部の影響を受け、当該アンテナを中心に、表示装置の前方方向の空間（全方向の半分程度の空間）になる。また、アンテナをフレーム部と重なる箇所であり、表示部の背面側に設置したとする。この場合、アンテナが送受信できるビーム方向の範囲は、表示部およびフレーム部の影響を受け、当該アンテナを中心に、表示装置の背面方向の空間（全方向の半分程度の空間）になる。
【００３４】
しかし、上記の構成のようにアンテナ素子がフレーム部の外縁から外側に迫り出すようにアンテナを配置することにより、当該アンテナのビーム方向の範囲は、表示装置の前方方向から背面方向の空間にわたる。したがって、このようにアンテナを、配置することにより、当該アンテナの開放空間が広がり、アンテナのビーム方向の制限がより緩和される。よって、表示装置の厚さを厚くすることなく、また、狭額縁且つ薄型を維持したまま、電波の到来方向による送受信性能の劣化が好適に解消される。
【００３５】
また、本発明に係る表示装置の前記アンテナは、当該表示装置が正置された状態において前記表示部の鉛直方向下側に配置されていることが好ましい。
【００３６】
表示装置が壁面に設置された際、当該表示装置の下部は開放されていることが多い。そのため、上記構成によれば、壁面に設置された表示装置において、アンテナ特性をより好適に向上させることができる。
【００３７】
また、本発明に係る表示装置の前記アンテナは、前記アンテナ素子に結合されたグランド部を有し、前記グランド部は、前記フレーム部内に配置されていることが好ましい。
【００３８】
このようにグランド部を配置することにより、アンテナの全体をフレーム部の外縁から外部に迫り出して配置する場合に比べ、額縁を狭くすることができる。
【００３９】
また、本発明に係る表示装置の前記アンテナは、平面アンテナであることが好ましい。
【００４０】
上記構成によれば、表示装置の厚さを厚くすることなく、前記アンテナを配置することができる。
【００４１】
また、本発明に係る表示装置は、外部からの操作信号を受信する受信回路を更に備え、前記アンテナと前記受信回路とが、共通の基板上に形成されていてもよい。
【００４２】
ユーザが表示装置を利用する際、受信回路の前面に外部からの操作信号を遮る物体が配置されることは少ない。つまり、アンテナと受信回路とが共通の基板上に形成されていることにより、当該アンテナの表示装置の前面方向には、当該アンテナの電波を遮る物体が配置されている可能性は低い。そのため、表示装置の前面方向において、アンテナの送受信性能の劣化が好適に解消される。また、表示装置の部品点数を削減することができ、表示装置の軽量化を実現することができる。
【００４３】
また、本発明に係る表示装置の前記アンテナは、前記表示装置に複数配置され、当該複数のアンテナは、ダイバシチアンテナを構成してもよい。また、本発明に係る表示装置の前記アンテナは、当該表示装置が正置された状態において前記表示部の鉛直方向下側に２つ配置されていてもよい。
【００４４】
このように、ダイバシチアンテナを構成することにより、さらに送受信性能を向上させることができる。
【００４５】
また、上記表示装置を備えるテレビジョン受像機も本発明の範疇に含まれる。
【発明の効果】
【００４６】
本発明は、ピンが取り付けられた対象物を壁面に掛着するためのブラケットであって、前記壁面に取り付けられる背板部と前記背板部に対向する前板部とを備え、前記前板部には、該前板部の上端から下方に向かって伸びる案内溝が形成されており、首部が前記案内溝に嵌めこまれた前記ピンの頭部が前記背板部と前記前板部とにより挟持されるよう、前記背板部と前記前板部との間隔が、上方において広く下方において狭くなっていることを特徴としている。
【００４７】
これにより、対象物を壁面に取り付ける際は、対象物に取り付けられたピンを、案内溝に沿って下方に移動させるだけでよいため、簡単に対象物を壁面に取り付けることができる。また、取り外す際も、対象物を案内溝に沿って上部に移動させるだけでよいため、簡単に対象物を壁面から取り外すことができる。また、取り付けた後は、ピンが案内溝内で挟持されるため、地震などの際に生じ得る対象物と壁面との相対的な振動を抑えることができ、対象物が壁面から不測に外れることを防ぐことができる。
【図面の簡単な説明】
【００４８】
【図１】（ａ）は、ブラケットの拡大斜視図であり、（ｂ）は、（ａ）におけるＺ−Ｚ’で示す面の断面図である。
【図２】（ａ）は、テレビおよび取付システムを、テレビの前面側から見た斜視図であり、（ｂ）は、テレビおよび取付システムを、テレビの背面側から見た斜視図である。なお、図面中のＡＱＵＯＳは登録商標である。
【図３】（ａ）は、ブラケットおよび補助ブラケットに取り付けた状態のテレビを、テレビの前面側から見た斜視図であり、（ｂ）は（ａ）の状態のテレビをテレビの背面側から見た斜視図である。
【図４】（ａ）は、ブラケットの正面図であり、（ｂ）はブラケットの側面図であり、（ｃ）はブラケットの上面図であり、（ｄ）は、（ａ）におけるＡ−Ａで示す面の断面図であり、（ｅ）はブラケットの背面図である。
【図５】（ａ）は補助ブラケットの正面図であり、（ｂ）は補助ブラケットの側面図であり、（ｃ）は補助ブラケットの上面図であり、（ｄ）は、（ａ）におけるＸ’−Ｘ’で示す面、Ｘ−Ｘで示す面、および、Ｘ”−Ｘ”で示す面の断面図であり、（ｅ）は、（ａ）におけるＹ−Ｙで示す面の断面図であり、（ｆ）は、補助ブラケットの背面図である。
【図６】係止ピンを頭部側から見た斜視図である。
【図７】（ａ）は、係止ピンを頭部側正面から見た図（正面図）であり、（ｂ）は、係止ピンを側面から見た図（側面図）である。
【図８】（ａ）は、係止ピンを軸部側から見た斜視図であり、（ｂ）は、係止ピンの断面図である。
【図９】係止ピンを頭部側から見た斜視図である。
【図１０】（ａ）は、係止ピンを頭部側正面から見た図（正面図）であり、（ｂ）は、係止ピンを側面から見た図（側面図）である。
【図１１】（ａ）は、取付システムに対する各係止ピン動きを示す正面図であり、（ｂ）は、同斜視図である。
【図１２】テレビが取付システムに取り付けられたときの、テレビの側面図である。
【図１３】取付システムを壁面へ取り付ける際に使用する型紙の一例を示す図である。
【図１４】テレビを背面側から見た斜視図である。なお、図面中のＡＱＵＯＳは登録商標である。
【図１５】（ａ）は、テレビを、テレビの前面側から見た斜視図であり、（ｂ）は、テレビを、テレビの背面側から見た斜視図である。なお、図面中のＡＱＵＯＳは登録商標である。
【図１６】（ａ）は、図１５（ａ）の点線部を拡大した図であり、（ｂ）は、図１５（ｂ）の点線部を拡大した図である。
【図１７】（ａ）は、図１６（ａ）において、カバーを取り外した時の図であり、（ｂ）は、図１６（ｂ）において、カバーを取り外した時の図である。
【図１８】テレビを側面側から見た場合のアンテナのビームの概略の放射方向（ビーム方向）を示す図である。
【図１９】（ａ）は、据置用のスタンドを備えたテレビを、テレビの前面側上方から見た斜視図であり、（ｂ）は、据置用のスタンドを備えたテレビを、テレビ背面側から見た斜視図であり、（ｃ）は、据置用のスタンドを備えたテレビを、テレビの前面側下方から見た斜視図である。なお、図面中のＡＱＵＯＳは登録商標である。
【図２０】図１９（ｃ）における実線部を拡大した図であり、カバーを取り外した時の図である。
【図２１】壁掛け用金具の一例を示す図である。
【図２２】本発明の一実施形態に係るテレビの概略構成を示す分解斜視図であり、（ａ）は、テレビを背面側から見た斜視図であり、（ｂ）は（ａ）の一部を拡大したものである。
【図２３】本発明の一実施形態に係るテレビの概略構成を示す分解斜視図であり、（ａ）は、テレビを前面側から見た斜視図であり、（ｂ）は（ａ）の枠で囲まれた部分を拡大したものである。
【図２４】本発明の一実施形態に係るテレビのフレームの固定部分の断面図である。
【図２５】本発明の一実施形態に係るテレビの背面カバー固定部分の断面図である。
【図２６】本発明の一実施形態に係るテレビに配置されたアンテナであって、テレビの表示部側から見たときのアンテナを示す図である。
【図２７】図２６のアンテナの裏面側から見た図である。
【発明を実施するための形態】
【００４９】
以下、本発明の実施の形態について、図面を参照して説明すれば、以下のとおりである。なお、本発明はこれに限定されるものではなく、この実施形態に記載されている寸法、形状などは、特に限定的な記載が無い限り、この発明の範囲をそれのみに限定する趣旨ではなく、単なる説明例に過ぎない。
【００５０】
まず、本発明における対象物の取付システムの好ましい実施の形態について図２および図３を参照して説明を行う。
【００５１】
図２（ａ）は、対象物としてのテレビ（テレビジョン受像機）１００と、テレビ１００を壁面に取り付けるための取付システムとを、テレビ１００の正面側（表示部側、Ｚ軸正方向）から見た斜視図である。また、図２（ｂ）は、テレビ１００および取付システムを、テレビ１００の背面側（Ｚ軸負方向）から見た斜視図である。
【００５２】
テレビ１００は、壁掛けが可能な薄型の表示装置である。テレビ１００の重量は、例えば、３２型で５．２キログラム程度、４０型で８．５キログラム程度である。テレビ１００の詳細については、後述する。
【００５３】
本実施形態に係る取付システムは、ブラケット１０と、補助ブラケット２０と、ブラケット１０に嵌め込まれる係止ピン（ピン）３０と、補助ブラケット２０に嵌め込まれる係止ピン４０と、を備えている。ブラケット１０と補助ブラケット２０とは、所定の距離だけ離間して、壁面に取り付けられる。テレビ１００は、テレビ１００の背面上部に螺合した係止ピン３０を、ブラケット１０に嵌め込み、更に、テレビ１００の背面下部に螺合した係止ピン４０を、補助ブラケット２０に嵌め込むことによって、壁面に取り付けられる。
【００５４】
図３（ａ）は、テレビ１００をブラケット１０および補助ブラケット２０に取り付けた状態において、テレビ１００を正面側から見た斜視図である。また、図３（ｂ）は、図３（ａ）の状態におけるテレビ１００を背面側から見た斜視図である。なお、図３（ｂ）においては、説明の便宜上、壁面５０を省略している。
【００５５】
図３（ａ）および図３（ｂ）に示すように、テレビ１００は、ブラケット１０および補助ブラケット２０と係着し、壁面５０に取り付けられる。
【００５６】
（ブラケット１０について）
次に、図１および図４を参照して、ブラケット１０について説明する。図１（ａ）は、ブラケット１０の拡大斜視図であり、図１（ｂ）は、図１（ａ）におけるＺ−Ｚ’で示す面の断面図である。また、図４（ａ）はブラケット１０の正面図であり、図４（ｂ）は同側面図であり、図４（ｃ）は同上面図である。また、図４（ｄ）は、図４（ａ）におけるＡ−Ａで示す面の断面図であり、図４（ｅ）はブラケット１０の背面図である。
【００５７】
図１および図４に示すように、ブラケット１０は、背板部１１、上板部１３、前板部１４、下板部１５により構成され、内部に空隙を有する構造体である。ブラケット１０の両側面は開放されており、ブラケット１０の内部には、一方の側面から他方の側面に到る空隙１９が形成されている。ブラケット１０の材質として、金属、より具体的には、アルミニウムを用いることができるが、本実施形態はこれに限定されるものではない。
【００５８】
図１（ｂ）および図４（ａ）に示すように、背板部１１は、長方形の板状の部材であり、上板部１３との接合箇所よりも上方に突出した上方フリンジ１１ａおよび下板部１５との接合箇所よりも下方に突出した下方フリンジ１１ｂを有している。上方フリンジ１１ａおよび下方フリンジ１１ｂには、図４（ａ）および図４（ｅ）に示すように、複数の貫通孔１８が設けられており、背板部１１は、これらの貫通孔１８を貫通する螺子または釘によって壁面５０に取り付けられる。なお、背板部１１は、その長辺が水平になるように壁面５０に取り付けられる。
【００５９】
テレビ１００を取り付ける壁面５０が木製である場合、図４（ａ）に示す複数の貫通孔１８のうち、背板部１１の中心軸上に形成された上下２箇所の貫通孔１８（一点鎖線Ａ−Ａ上の貫通孔１８）と、背板部１１の四隅の貫通孔１８とを使用し、背板部１１を壁面５０に取り付ける。また、壁面５０が石膏ボードである場合、図４（ａ）に示す全ての貫通孔１８を使用し、背板部１１を壁面５０に取り付ける。このように、取り付ける壁面の材質に応じて、貫通孔１８の何れを用いるかが定まる。これにより、螺子または釘が取り付けられるものである限り、多様な材質の壁面５０に対してテレビ１００を取り付けることができる。
【００６０】
前板部１４は、長方形の板状の部材であり、その板面が背板部１１の板面と平行になるよう、かつ、その長辺が背板部１１の長辺と平行になるよう、上板部１３および下板部１５を介して背板部１１に固定されている。
【００６１】
図４（ａ）に示すように、前板部１４には、２本の案内溝１７が形成されている。案内溝１７の幅は、図７（ｂ）に示す係止ピン３０の円柱部３２の直径より大きく、頭部３１の直径より小さく形成されている。これらの案内溝１７は、いずれも、テレビ１００の背面に固定された係止ピン３０を案内溝１７の下部で係止するためのものである。案内溝１７は、屈曲して形成されている。より具体的には、図４（ａ）に示すように、「く」の字状に形成されている。すなわち、図４（ａ）に示すように、案内溝上部１７ａは前板部１４の上縁から右下に伸延しており、案内溝下部１７ｂは、案内溝上部１７ａの下端から左下に伸延している。言うまでも無く、案内溝上部１７ａが前板部１４の上縁から左下に伸延し、案内溝下部１７ｂが、案内溝上部１７ａの下端から右下に伸延する構成としてもよい。
【００６２】
ブラケット１０においては、前板部１４と背板部１１との間隔を、上方において広く、下方において狭くするダウンテーパー構造が採用されている。これは、係止ピン３０の頭部３１を前板部１４と背板部１１とより挟み込むことによって、地震などの際に生じ得るテレビ１００の前後方向の振動を抑えるためである。特に、本実施形態においては、下方において前板部１４を肉厚にして背板部１１側に迫り出させることによって、このダウンテーパー構造を実現している。これにより、テレビ１００を壁面５０に寄せて固定することができるので、地震などの際に生じ得るテレビ１００の前後方向の振動をより確実に抑え込むことができる。
【００６３】
上板部１３には、前板部１４に設けられた案内溝１７に連なる開口部１６が設けられている。開口部１６は、上板部１３の法線方向から見て長方形の形状を有している。この開口部１６を介して係止ピン３０の頭部３１をブラケット１０の内部に挿入することができるよう、この開口部１６のサイズは係止ピン３０の頭部３１のサイズよりも大きく設計されている。また、上板部１３は、背板部１１を壁面５０に取り付けたときに、手前に向かって（背板部１１側から前板部１４側に向かって）下降するように傾斜している。
【００６４】
ブラケット１０上にテレビ１００を載せることができる場合、作業者がテレビ１００をブラケット１０上に載せた後、取り付け作業を中断し、そのまま放置してしまうことが起こり得る。このとき、テレビ１００は震動により、ブラケット１０から落ちてしまう。しかし、上板部１３が手前に向かって傾斜していることにより、テレビ１００をブラケット１０上に載せることができない。よって、テレビ１００を不安定な状態でブラケット１０上に載置することを防ぐことができる。
【００６５】
（補助ブラケット２０について）
次に、図５を参照して、補助ブラケット２０について説明する。図５（ａ）は補助ブラケット２０の正面図であり、図５（ｂ）は同側面図であり、図５（ｃ）は同上面図である。また、図５（ｄ）は、図５（ａ）におけるＸ’−Ｘ’で示す面、Ｘ−Ｘで示す面、および、Ｘ”−Ｘ”で示す面の断面図である。また、図５（ｅ）は、図５（ａ）におけるＹ−Ｙで示す面の断面図であり、図５（ｆ）は、補助ブラケット２０の背面図である。
【００６６】
補助ブラケット２０は、背板部２１を備えており、背板部２１にはレール溝２２が形成されている。補助ブラケット２０の材質は、金属、より具体的には、アルミニウムであるが、本実施形態はこれに限定されない。
【００６７】
背板部２１は、正方形の板状の部材である。背板部２１には、複数の貫通孔２８が設けられており、背板部２１は、これらの貫通孔２８を貫通する螺子または釘によって壁面５０に取り付けられる。なお、背板部２１は、その上辺が水平になるように壁面５０に取り付けられる。また、背板部２１は、ブラケット１０と所定の距離だけ離間して壁面５０に取り付けられる。
【００６８】
テレビ１００を取り付ける壁面５０が木製である場合、図５（ａ）に示す複数の貫通孔２８のうち、背板部２１の四隅の貫通孔２８を使用し、背板部２１を壁面５０に取り付ける。また、壁面５０が石膏ボードである場合も同様に、背板部２１の四隅の貫通孔２８を使用し、背板部２１を壁面５０に取り付ける。これにより、螺子または釘が取り付けられるものである限り、多様な材質の壁面５０に対して補助ブラケット２０取り付けることができる。
【００６９】
レール溝２２は、テレビ１００の背面に固定された係止ピン４０をレール溝２２内部で係合させるためのものである。レール溝２２は、ブラケット１０の案内溝下部１７ｂと平行になるように、背板部２１に形成されている。例えば、ブラケット１０の案内溝下部１７ｂが図４に示すように、案内溝上部１７ａの下端から左下に伸延している場合、レール溝２２は図５（ａ）に示すように、背板部２１の左上から右下に向かって伸延するように形成される。
【００７０】
レール溝２２は、背板部２１の板面に対し垂直な方向に開口する開口部２３を伴って形成されている。レール溝２２の内部の幅は、背板部２１の左上側の導入部２４から係止ピン４０の頭部４１（図１０参照）をレール溝２２内部に挿入することができるように、係止ピン４０の頭部４１のサイズよりも大きく設計されている。また、レール溝２２の開口部２３の幅は、係止ピン４０の円柱部４２の直径より大きく、頭部４１の直径より小さく形成されている。
【００７１】
上記のような構成により、簡単に係止ピン４０の頭部４１をレール溝２２内部に嵌め込むことができる。また、係止ピン３０の頭部３１を案内溝１７に嵌め込むことができ、係止ピン４０の頭部４１をレール溝２２内部に嵌め込むことができなかった場合、係止ピン３０の頭部３１を案内溝１７からはずさなくても、係止ピン３０の頭部３１を案内溝上部１７ａの下端まで移動させるだけで、係止ピン４０の頭部４１をレール溝２２内部に嵌めなおすことができる。
【００７２】
（係止ピン３０について）
次に、図６から図８を参照して、係止ピン３０について説明する。図６は、係止ピン３０を頭部３１側から見た斜視図であり、図２（ｂ）の点線部Ａの部分の拡大図である。図７（ａ）は、係止ピン３０を頭部３１側正面から見た図（正面図）であり、図７（ｂ）は、係止ピン３０を側面から見た図（側面図）である。また、図８（ａ）は、係止ピン３０を軸部３４側から見た斜視図であり、図８（ｂ）は、係止ピン３０の断面図である。
【００７３】
係止ピン３０は、図６から図８に示すように、頭部３１、円柱部３２、首部３３、軸部３４および回転部（回転滑子）３６を有している。また、首部３３には、スプリングワッシャー３７がはめられている。係止ピン３０の材質は、金属、より具体的には、アルミニウムであるが、本実施形態はこれに限定されない。
【００７４】
頭部３１は、所定の厚みを有する円板状の部材である。頭部３１には、斜めに面取り加工された面取り部３５が形成されている。これにより、係止ピン３０をブラケット１０に嵌め込みやすくすることができる。また、係止ピン３０は、軸部３４によって、図６に示すように、テレビ１００の背面上部に螺合されている。
【００７５】
回転部３６は、案内溝１７に沿って滑動する回転滑子である。回転部３６は、頭部３１と円柱部３２とに挿嵌されている。換言すれば、回転部３６は、頭部３１と円柱部３２を覆うように形成されている。なお、円柱部３２には、円柱部３２の首部３３側の端から任意の距離Ｗの間隙を有しており、この間隙の部分は、回転部３６に覆われていない。この間隙を有することにより、案内溝１７に係止ピン３０を嵌めた時、係止ピン３０の回転部３６のみを回転させることができる。
【００７６】
なお、係止ピン３０の各部の呼称は便宜上のものでしかない。例えば、上述した係止ピン３０の円柱部３２と、回転部３６のうち円柱部３２を覆う部分とを合わせて改めて首部と呼称することもある。また、頭部３１と、回転部３６のうち頭部３１を覆う部分とを合わせて改めて頭部と呼ぶこともある。
【００７７】
（係止ピン４０について）
次に、図９および図１０を参照して、係止ピン４０について説明する。図９は、係止ピン４０を頭部４１側から見た斜視図であり、図２（ｂ）の点線部Ａの部分の拡大図である。また、図１０（ａ）は、係止ピン４０を頭部４１側正面から見た図（正面図）であり、図１０（ｂ）は、係止ピン４０を側面から見た図（側面図）である。
【００７８】
係止ピン４０は、図９および図１０に示すように、頭部４１、円柱部４２および軸部４３を有している。また、頭部４１および円柱部４２には、丸い面取り加工Ｒが形成されている。これにより、係止ピン４０を補助ブラケット２０に嵌め込みやすくすることができる。また、係止ピン４０は、軸部４３によって、図９に示すように、テレビ１００の背面下部に螺合されている。
【００７９】
係止ピン４０の頭部４１は、所定の厚みを有する円板状の部材である。係止ピン４０の材質は、金属、より具体的には、アルミニウムであるが、本実施形態はこれに限定されない。
【００８０】
（ブラケット１０および補助ブラケット２０に対する係止ピン３０および係止ピン４０の動きについて）
次に、図１および図１１を参照して、ブラケット１０および補助ブラケット２０に対する係止ピン３０および係止ピン４０の動きについて、説明を行う。図１１（ａ）は、ブラケット１０および補助ブラケット２０に対する係止ピン３０および係止ピン４０の動きを示す正面図であり、図１１（ｂ）は、同斜視図である。なお、図１および図１１において、係止ピン３０および係止ピン４０は、テレビ１００に螺合されているものとする。
【００８１】
ユーザが、テレビ１００を、ブラケット１０の長辺と平行になるように持ち、テレビ１００に螺合されている係止ピン３０の頭部３１をブラケット１０の上方から嵌め込もうとする場合を考える。このとき、係止ピン３０は、図１および図１１に示すように、ブラケット１０の上方に位置している。また、係止ピン４０も、補助ブラケット２０の上方に位置している。
【００８２】
ユーザが、係止ピン３０の頭部３１をブラケット１０の上方から嵌め込んだ時、係止ピン３０は、回転部３６が回転することにより、滑らかにブラケット１０の案内溝１７に入り込む。これにより、係止ピン３０は、図１（ａ）に示す係止ピン３０ａの位置まで移動し、その後、係止ピン３０ｂの位置で係止する。このとき、図１（ｂ）に示すように、係止ピン３０は、前板部１４と背板部１１とより挟み込まれる。これによって、係止ピン３０をブラケット１０にしっかりと固定することができる。
【００８３】
また、図１１に示すように、テレビ１００をブラケット１０の長辺と平行になるように、係止ピン３０の頭部３１をブラケット１０にはめ込むことにより、２つの係止ピン３０は、同じ動きをし、係止ピン３０ｂの位置まで移動する。また、係止ピン４０は、係止ピン３０が係止ピン３０ｂの位置に移動する動きに合わせて動き、図１１（ｂ）に示す補助ブラケット２０のレール溝２２内の係止ピン４０ａの位置に移動し、レール溝２２と係合する。
【００８４】
テレビ１００が取付システムに取り付けられたときの、テレビ１００の側面図を図１２に示す。図１２に示すように、テレビ１００は、２つの係止ピン３０と、係止ピン４０との３点で取付システムに取り付けられる。このとき、テレビ１００と壁面５０との幅ｄは、取付システムの厚さ分しかなく、例えば、厚さ９ｍｍである。これは、テレビ１００の厚さが例えば２９ｍｍである場合、テレビ１００の前面と壁面５０との距離ｃが３８ｍｍになることを意味している。
【００８５】
このように、テレビ１００は、二つの係止ピン３０と、係止ピン４０とを取付システムに取り付けることによって、簡単に壁面５０に取り付けることができる。
【００８６】
以上のように、本実施形態における取付システムは、テレビ１００を壁面５０に取り付けるための係止ピン３０が固定されたテレビ１００を、壁面５０に取り付けるためのブラケット１０を備えており、ブラケット１０は、（１）長辺が水平になるように壁面に取り付けられる背板部１１と、（２）背板部１１と接合された上板部１３および下板部１５と、（３）板面が背板部１１の板面と平行でありかつ長辺が背板部１１の長辺と平行になるよう上板部１３および下板部１５を介して背板部１１に固定された前板部と、から構成される。また、前板部１４には、案内溝１７が形成されており、上板部１３には、案内溝１７に連なる開口部１６が形成されており、前板部１４と背板部１１との間隔が、上方において広く、下方において狭くするダウンテーパー構造である。
【００８７】
また、本実施形態に係るブラケット１０は、係止ピン３０が取り付けられた対象物であるテレビ１００を壁面に掛着するためのブラケットであって、前記壁面に取り付けられる背板部１１と前記背板部１１に対向する前板部１４とを備え、前記前板部１４には、該前板部１４の上端から下方に向かって伸びる案内溝１７が形成されており、首部が前記案内溝に嵌めこまれた前記係止ピン３０の頭部が前記背板部１１と前記前板部１４とにより挟持されるよう、前記背板部１１と前記前板部１４との間隔が、上方において広く下方において狭くなっている、と表現することもできる。
【００８８】
このような構成によれば、開口部１６から案内溝１７に入り込んだ係止ピン３０の頭部３１は、前板部１４と背板部１１とより挟み込まれる。係止ピン３０の頭部３１は、案内溝１７に沿って案内溝下部１７ｂに移動するに従い、前板部１４と背板部１１とにより、更に挟み込まれ、固定される。これにより、テレビ１００を壁面５０に取り付ける際は、テレビ１００に取り付けられた係止ピン３０を、案内溝１７に沿って下方に移動させるだけでよいため、簡単にテレビ１００を壁面５０に取り付けることができる。また、取り外す際も、テレビ１００を案内溝１７に沿って上部に移動させるだけでよいため、簡単にテレビ１００を壁面５０から取り外すことができる。また、取り付けた後は、係止ピン３０が案内溝１７内で係止されるため、地震などの際に生じ得るテレビ１００の前後方向の振動を抑えることができ、不測に外れることを防ぐことができる。
【００８９】
また、本実施形態におけるダウンテーパー構造は、前板部１４の下方において当該前板部１４を背板部１１側に迫り出させる構造である。
【００９０】
これは、前記背板部１１と前記前板部１４との間隔を上方において広く下方において狭くするために、上記前板部１１の前記背板部１４に対向する面が下方において前記背板部側に迫り出している、と表現することもできる。
【００９１】
背板部１１が前板部１４側に迫り出させる構造であった場合、テレビ１００を壁面５０に取り付けたとき、テレビ１００と壁面５０との間に隙間が生じる。しかし、上記構成によれば、テレビ１００を壁面５０に寄せて固定することができるので、地震などの際に生じ得るテレビ１００の前後方向の振動をより確実に抑え込むことができる。
【００９２】
また、本実施形態における案内溝１７は、「く」の字状または「逆く」の字状であることが好ましい。これにより、テレビ１００を取り付けた後、例えば、人による不慮の接触や地震等により、テレビ１００の下から突き上げる力が加わった場合であっても、案内溝１７は、係止ピン３０が上方にスライドすることを制限する。テレビ１００の側面方向からの力、テレビ１００の右下からの力が加わった場合であっても、同様に、案内溝１７は、係止ピン３０がスライドすることを制限する。また、案内溝１７が、図４（ａ）に示すような「く」の字状である場合、テレビ１００の左下からの力が加わったとしても、案内溝上部１７ａによって、係止ピン３０が案内溝１７から外れることがない。したがって、係止ピン３０がブラケット１０から外れることを防ぐことができる。
【００９３】
また、テレビ１００を取り付ける際、案内溝１７の下部まで急激に落下することを防ぐことができる。
【００９４】
また、係止ピン３０が回転部３６を有することにより、係止ピン３０がブラケット１０に嵌め込まれた際、回転部３６が回転しながら、案内溝１７に沿って移動する。よって、余分な力をかけることなく、テレビ１００を壁面５０に取り付けることができる。
【００９５】
なお、本実施形態において、テレビ１００の下部を固定する部材として補助ブラケット２０について説明を行ったが、テレビ１００の下部を固定する部材はこれに限定されず、例えば、マジックテープ（登録商標）のような面ファスナーであってもよい。
【００９６】
つまり、本実施形態における取付システムは、テレビ１００が揺動しないようにテレビ１００を支持するための補助ブラケット２０のような補助具を更に備えることが好ましい。
【００９７】
上記構成によれば、地震などの際に生じ得るテレビ１００の前後方向の振動により、テレビ１００の下部がばたつくのを防ぐことができる。
【００９８】
なお、ブラケット１０に形成される案内溝１７の数は複数であってもよいが、２つであることがより好ましい。本発明者らは、案内溝１７の数が２つであっても、テレビ１００を壁面５０に取り付けた際の強度が得られることを見出した。また、このように、少ない箇所でテレビ１００を壁面５０に取り付けることにより、複数の箇所でテレビ１００を壁面５０に取り付ける場合に比べ、壁面５０へのダメージを軽減することが可能であることを見出した。よって、テレビ１００を壁面５０に取り付けた際、案内溝１７の数が２本であっても、テレビ１００が壁面５０から外れることを防ぐことができる。
【００９９】
また、このような取付システムを用いることにより、取付システムの軽量化をはかることができる。
【０１００】
（ブラケット１０および補助ブラケット２０の壁面５０への取付方法）
次に、図１３を参照して、ブラケット１０および補助ブラケット２０の壁面５０への取付方法について説明を行う。図１３は、ブラケット１０および補助ブラケット２０を壁面５０へ取り付ける際に使用する型紙の一例を示す図である。
【０１０１】
図１３は、３２インチのテレビを壁面５０に取り付ける場合に使用する型紙である。図１３において、二重線で囲まれた部分の大きさは、テレビ１００の大きさ（３２インチ）と等しい。ユーザは、テレビ１００を取り付けたい場所に、型紙の二重線で囲まれた部分が一致するように、当該型紙を壁面５０に貼り付ける。
【０１０２】
図１３において、点線で囲まれた部分は、ブラケット１０および補助ブラケット２０の取り付け位置を示している。ブラケット１０および補助ブラケット２０は、原寸大で記載されている。ユーザは、ブラケット１０および補助ブラケット２０の取り付ける位置に目印をつけ、型紙を壁面５０からはがす。
【０１０３】
その後、ユーザは、目印をつけた位置にブラケット１０および補助ブラケット２０を取り付ける。
【０１０４】
このように、型紙を用いることにより、テレビ１００の背面に螺合した係止ピン３０および係止ピン４０がブラケット１０および補助ブラケット２０と係合する位置に、ブラケット１０および補助ブラケット２０を簡単に取り付けることができる。
【０１０５】
（震動防止措置について）
次に、図１４を参照して、更なる震動防止措置について、説明を行う。図１４は、テレビ１００を背面側から見た斜視図である。
【０１０６】
図１４に示すように、テレビ１００の背面に、震動防止のためのラバーパッド１０１を設置しても良い。ラバーパッドは、テレビ１００の背面の四隅に設置される。なお、ラバーパッド１０１の位置はこれに限定されない。
【０１０７】
ラバーパッド１０１は、その厚さが、テレビ１００が取付ブラケット１０に取り付けられた際の壁面５０とテレビ１００との距離と略等しくなるように形成されている。ラバーパッド１０１の材質は、例えば、樹脂であるが、本実施形態はこれに限定されない。
【０１０８】
このようなラバーパッド１０１を用いることにより、テレビ１００が壁面５０から離れて震動することを防ぐことができる。
【０１０９】
（テレビ１００について）
次に、テレビ１００について、図１５から図２０、図２２〜図２７を参照して説明を行う。図１５（ａ）は、テレビ１００を、テレビ１００の前面側から見た斜視図であり、図１５（ｂ）は、テレビ１００を、テレビ１００の背面側から見た斜視図である。また、図１６（ａ）は、図１５（ａ）の点線部を拡大した図であり、図１６（ｂ）は、図１５（ｂ）の点線部を拡大した図である。また、図１７（ａ）は、図１６（ａ）において、カバー１０２を取り外した時の図であり、図１７（ｂ）は、図１６（ｂ）において、カバー１０２を取り外した時の図である。
【０１１０】
図１５から図１７に示すように、テレビ１００は、アンテナ１０３と、ＯＰＣ／ＩＲ受光部１０４と、映像を表示する表示部１１０と、表示部１１０を囲んでいる外枠１２０と、を備えている。アンテナ１０３およびＯＰＣ／ＩＲ受光部１０４は、テレビ１００の外枠１２０から、下側に迫り出した部分であって、下部のカバー１０２によって覆われた場所に設置されている。表示部１１０の裏面および外枠１２０の材質は金属であるが、本実施形態はこれに限定されない。
【０１１１】
ＯＰＣ／ＩＲ受光部１０４は、リモコンなどの信号を受信する部分である。
【０１１２】
アンテナ１０３は、例えば、Ｗｉ−Ｆｉ（登録商標）などの無線通信を行うためのものである。アンテナ１０３は、外枠１２０と重ならない部分（外枠１２０の下に迫り出した部分）にアンテナ素子を有している。また、アンテナ１０３における外枠１２０と重なる部分は、アンテナ１０３をテレビ１００に固定するための部分である。なお、アンテナ１０３における外枠１２０と重なる部分は、アンテナグランドであっても良い。アンテナ１０３については後述する。
【０１１３】
次に、図２２〜図２５を参照して、本実施形態に係るテレビ（表示装置）１００の概略構成について詳細に説明する。図２２は、本発明の一実施形態に係るテレビ１００の概略構成を示す分解斜視図であり、（ａ）は、テレビ１００を背面側から見た斜視図であり、（ｂ）は（ａ）の一部を拡大したものである。また、図２３は、本発明の一実施形態に係るテレビ１００の概略構成を示す分解斜視図であり、（ａ）は、テレビ１００を前面側から見た斜視図であり、（ｂ）は（ａ）の枠で囲われた部分を拡大したものである。
【０１１４】
なお、以降の説明において、図中におけるＺ軸正方向側をテレビ１００の前側（すなわち、映像が表示される側。正面側と呼ぶ場合もある）としており、Ｚ軸負方向側をテレビ１００の後側（背面側と呼ぶ場合もある）としている。
【０１１５】
図２２の（ａ）に示すテレビ１００は、チューナ（図示を省略する）およびディスプレイを備えており、チューナによって受信されたコンテンツを再生してその映像をディスプレイが表示することにより、このコンテンツをユーザに視聴させることができる。
【０１１６】
図２２の（ａ）および（ｂ）に示すように、テレビ１００は、外枠（フレーム部）１２０、表示部（液晶表示パネル）１１０、パネルガイド１１８、光学シート類２００、およびバックライトユニット３００を備えて構成されている。実際には、テレビ１００は、これらの他にも、テレビ１００の背面を保護する背面カバー等を備えているが、ここでは、図示および説明を省略する。
【０１１７】
また、図２２の（ａ）および（ｂ）に示すように、表示部１１０の周囲を囲む外枠１２０は、ベゼル１１２およびフレーム１１４を備えている。
【０１１８】
ベゼル１１２は、フレーム１１４の前面に取り付けられる。ベゼル１１２は、フレーム１１４の表面の保護や、テレビ１００の外観を整えるために設けられている。具体的には、図２３の（ａ）および（ｂ）に示すように、ベゼル１１２は、固定ボス部１２２および両面テープ１２１が配置されたフレーム１１４の前面に取り付けられる。
【０１１９】
図２３（ｂ）に示すように、固定ボス部１２２には切り欠き部１２３が形成されている。これにより、ボスを外周の縁の端に配置することができる。また、両面テープ１２１を介してベゼル１１２を配置しているため、切り欠き部１２３から内部光が外部に漏れることを防ぐことができる。なお、切り欠き部１２３から内部光が外部に漏れることを防ぐ方法として、フレーム１１４の裏側からボスにワッシャーを嵌め込み、固定ボス部１２２を裏側から防いでもよい。
【０１２０】
ベゼル１１２としては、アルミ等の金属製のものを用いているが、樹脂等の非金属製のものが用いられる場合もある。
【０１２１】
フレーム１１４は、表示部１１０を支持する。具体的には、フレーム１１４は、その前面に表示部１１０の表示領域に相当するサイズの開口部を有する枠部を有しており、この枠部によって、表示部１１０の外周縁部（すなわち、表示領域の外側の部分）を支持する。フレーム１１４として、アルミ等の金属製のものが用いられている。
【０１２２】
表示部１１０は、ＴＦＴ（Thin Film Transistor）基板、カラーフィルタ、および偏光フィルタ等を備えて構成されている。ＴＦＴ基板は、ガラス基板上にゲート配線、ソース配線からなる格子状のマトリクス配線に接続された複数のＴＦＴ液晶画素が形成されたものである。この表示部１１０では、ディスプレイ駆動回路（図示を省略する）により、各ＴＦＴ液晶画素に対して、映像信号に応じたデータ信号が書き込まれる。これにより、表示部１１０においては、各ＴＦＴ液晶画素におけるバックライト光の透過量が調整され、これにより、映像信号に応じた映像が表示されることとなる。
【０１２３】
パネルガイド１１８は、図２２の（ｂ）に示すように、フレーム１１４の裏側に嵌め込まれる。そして、パネルガイド１１８は、フレーム１１４の内側において、表示部１１０が所定の場所に固定されるように、表示部１１０を支持する。パネルガイド１１８として、樹脂等の非金属製のものが用いられている。
【０１２４】
光学シート類２００は、表示部１１０とバックライトパネル３３２との間に挟み込まれるようにして設けられている。この光学シート類２００は、表示部１１０に入射されるバックライト光の特性を調整するために、設けられている。例えば、光学シート類２００は、拡散板、拡散シート、レンズシート、偏光反射シート等の複数のシート状の光学部材を含んで構成されている。
【０１２５】
バックライトユニット３００は、表示部１１０の背面側に設けられており、表示部１１０に対して、バックライト光を照射する。具体的には、バックライトユニット３００は、バックライトパネル３３２、ＬＥＤ基板３３４（図示を省略する）、およびバックライトシャーシ３３６を備えて構成されている。
【０１２６】
バックライトパネル３３２は、表示部１１０の背面側に設けられている。このバックライトパネル３３２は、その側部から入射されたバックライト光を、表示部１１０へ導光する、いわゆる導光板である。
【０１２７】
バックライトシャーシ３３６は、バックライトパネル３３２の背面側から、バックライトパネル３３２を支持する。バックライトシャーシ３３６の素材として、アルミ等の金属が用いられている。
【０１２８】
ＬＥＤ基板３３４は、光源であるＬＥＤアレイ３３５（図示を省略する）と、このＬＥＤアレイ３３５を駆動するＬＥＤ駆動回路（図示を省略する）とを備えている。ＬＥＤ基板３３４は、バックライトパネル３３２の側部に設けられており、この側部からバックライトパネル３３２内にバックライト光を入射する。本実施形態では、ＬＥＤ基板３３４は、バックライトパネル３３２の下側（図中Ｙ軸負方向側）の側部に設けられているが、これに限らない。
【０１２９】
図２４は、本発明の一実施形態に係るテレビ１００のフレーム１１４の固定部分の断面図である。また、図２５は、本発明の一実施形態に係るテレビ１００の背面カバー固定部分の断面図である。
【０１３０】
図２４に示すように、フレーム１１４は、ビス１２４を用いてバックライトシャーシ３３６に固定されている。また、図２５に示すように、背面カバー１２６は、ビス１２５を用いて、バックライトシャーシ３３６に固定されている。
【０１３１】
このようにフレーム１１４と、表示部１１０、パネルガイド１１８、シート類２００、バックライトユニット３００等の内部モジュールとが一体化されていることにより、狭額縁化が実現できる。また、内部モジュールとフレーム１１４とが一体化されていることにより、テレビ１００の薄型化が実現できる。また、このような構成により、フレーム１１４を形成する別部品が削減でき、さらに、内部モジュールおよびフレームのそれぞれをユニット化した従来のテレビの構造より、部品点数が削減できる。よって、テレビ１００の重量を軽くすることができる。
【０１３２】
（アンテナ１０３について）
次に、図１７、図２６および図２７を参照して、アンテナ１０３について説明する。図２６は、テレビ１００の表示部１１０側から見たときの、テレビ１００に配置されたアンテナ１０３を示す図であり、図２７は、図２６のアンテナ１０３を裏面側から見たときのアンテナ１０３を示す図である。
【０１３３】
アンテナ１０３は、図１７の（ａ）および（ｂ）に示すように、平面アンテナであり、テレビ１００が正置された状態において、表示部１１０の鉛直方向下側に２つ配置されている。なお、アンテナ１０３の数は、これに限定されず、１つであってもよいし、複数であってもよい。図１７の（ａ）および（ｂ）に示すように、テレビ１００に複数配置されたアンテナ１０３は、ダイバシチアンテナを構成している。このようにダイバシチアンテナを構成することにより、さらに送受信性能を向上させることができる。
【０１３４】
また、アンテナ１０３は、図１７の（ａ）および（ｂ）に示すように、リモコンなどの信号（外部からの操作信号）を受信する部分であるＯＰＣ／ＩＲ受光部（受信回路）１０４と近接して配置されていてもよいし、共通の基板上に形成されていてもよい。
【０１３５】
ユーザがテレビ１００を利用する際、ＯＰＣ／ＩＲ受光部１０４の前面にリモコンの信号を遮る物体が配置されることは少ない。つまり、アンテナ１０３と受信回路とが共通の基板上に形成されていることにより、当該アンテナ１０３のテレビ１００の前面方向には、アンテナ１０３の電波を遮る物体が配置されている可能性が低い。そのため、テレビ１００の前面方向において、アンテナ１０３の送受信性能の劣化が好適に解消される。また、テレビ１００の部品点数を削減することができ、テレビ１００の軽量化を実現することができる。
【０１３６】
また、アンテナ１０３は、図２６および図２７に示すように、アンテナ素子１０５とアンテナグランド（グランド部）１０６とを有している。アンテナ素子１０５は、図１７の（ａ）および（ｂ）に示すように、外枠１２０の外縁から外側に迫り出して配置されている。
【０１３７】
アンテナグランド１０６は、図２６および図２７に示すように、アンテナ素子１０５に結合されている。アンテナグランド１０６は、図１７の（ａ）および（ｂ）に示すように外枠１２０と重なる部分に配置されている。つまり、アンテナグランド１０６は、外枠１２０内に配置されている。アンテナグランド１０６が外枠１２０内に配置されている場合であっても、アンテナ１０３の送受信性能は劣化しない。
【０１３８】
このようにアンテナグランド１０６を配置することにより、アンテナ１０３の全体を外枠１２０の外縁から外部に迫り出して配置する場合に比べ、額縁を狭くすることができる。
【０１３９】
また、アンテナ１０３を外枠１２０の内部に配置した場合、テレビ１００の外側に放熱する必要があり、アンテナ１０３が配置されている部分の外枠１２０に放熱のための孔を形成する必要がある。しかしながら、本実施形態のようにアンテナ１０３を配置することにより、アンテナ１０３が発する熱を、直接外部に放つことができる。よって、外枠１２０に放熱のための孔を形成する必要がないため、当該孔の形成のためのコストを下げ、当該孔による外枠１２０の強度低下を防ぐことができる。また、当該孔を形成しないため、成形性が高まり、デザインの自由度も高くなる。更に、当該孔を形成しないため、異物の内部への混入を防ぐことができる。
【０１４０】
（アンテナ１０３の特性について）
図１８に、テレビ１００を側面から見た場合の、アンテナ１０３のビームの概略の放射方向（ビーム方向）を示す。図１８に示すように、アンテナ１０３の概略のビーム方向は、アンテナ１０３を中心に、テレビ１００の下側方向と、背面方向とに及ぶ。
【０１４１】
ここで、アンテナ１０３の全体を外枠１２０と重なる箇所であり、テレビ１００の表示部１１０側に設置したとする。この場合、アンテナ１０３が送受信できるビーム方向の範囲は、表示部１１０および外枠１２０の影響を受け、アンテナ１０３を中心に、テレビ１００の前方方向の空間（全方向の半分程度の空間）になる。また、アンテナ１０３を外枠１２０と重なる箇所であり、テレビ１００の背面側に設置したとする。この場合、アンテナ１０３が送受信できるビーム方向の範囲は、表示部１１０および外枠１２０の影響を受け、アンテナ１０３を中心に、テレビ１００の背面方向の空間（全方向の半分程度の空間）になる。
【０１４２】
しかし、本実施形態のようにアンテナ素子１０５が外枠１２０の外縁から外側に迫り出すようにアンテナ１０３を配置することにより、アンテナ１０３のビーム方向の範囲は、図１８の実線で囲まれた方向となる。したがって、このようにアンテナ１０３を、配置することにより、アンテナの開放空間が広がり、アンテナのビーム方向の制限がより緩和される。よって、テレビ１００の厚さを厚くすることなく、また、狭額縁を維持したまま、電波の到来方向による送受信性能の劣化が好適に解消される。
【０１４３】
また、テレビ１００が壁面５０に設置された際、テレビ１００の下部は開放されていることが多い。そのため、壁面５０に設置されたテレビ１００において、アンテナ特性をより向上させることができる。
【０１４４】
また、図１７の（ａ）および（ｂ）に示すように、アンテナ１０３は、テレビ１００が正置された状態において、表示部１１０の鉛直方向下側に配置されている。例えば、テレビ１００が壁面５０に設置された際、テレビ１００の下部は開放されていることが多い。そのため、壁面５０に設置されたテレビ１００において、アンテナ特性をより好適に向上させることができる。
【０１４５】
次に、図１９および図２０を参照して、据置用のスタンド１３０を備えたテレビ１００について説明を行う。図１９（ａ）は、テレビ１００を、テレビ１００の前面上方から見た斜視図であり、図１９（ｂ）は、テレビ１００を、テレビ１００の背面から見た斜視図である。また、図１９（ｃ）は、テレビ１００を、テレビ１００の前面下方から見た斜視図である。図２０は、図１９（ｃ）における実線部を拡大した図であり、カバー１０２を取り外した時の図である。
【０１４６】
据置用のスタンド１３０は、図１９に示すように、テレビ１００の背面でテレビ１００と固着している。スタンド１３０の土台となる部分には、開口が形成されている。このようにスタンド１３０に開口が形成されていることにより、スタンド１３０の土台部分とアンテナ１０３とが近接することを防ぐことができる。スタンド１３０の材質は金属であるが本実施形態はこれに限定されない。
【０１４７】
スタンド１３０の土台部分に開口が形成されていない場合、アンテナ１０３は、スタンド１３０の影響を受け、テレビ１００の下側方向のビームが制限される。土台部分に開口が形成されているスタンド１３０を用いることにより、図２０に示すように、アンテナ１０３は、スタンド１３０にさえぎられることなく、テレビ１００の下側方向に開放される。よって、このようなスタンド１３０を用いることにより、テレビ１００を据え置いた場合であっても、アンテナのビーム方向の制限がより緩和され、電波の到来方向による送受信性能の劣化が好適に解消される。
【０１４８】
このようなテレビ１００を用いることにより、例えば、テレビ１００を上階に設置し、テレビ１００のチューナを下階に設置したような場合であっても、テレビ１００をユーザに好適に視聴させることができる。
【０１４９】
（本発明に記載された発明）
本明細書には、以下の発明が含まれる。
【０１５０】
テレビジョン受像機（以下「テレビ」と略記）は、近年、狭額縁化、薄型化が進んでいる。このような狭額縁のテレビにアンテナを配置する技術が提案されている。
【０１５１】
例えば、特許文献２には、電磁シールドが施されていないアンテナ収納部を表示画面の外周部に設け、当該アンテナ収納部にアンテナが配置する無線通信装置が開示されている。
【０１５２】
しかし、狭額縁のテレビでは、テレビの前面方向に対するアンテナの送受信感度（送受信性能）が下がってしまうという問題がある。特許文献２の技術では、アンテナ収納部を表示装置の外周部に設ける必要があるため、額縁幅を拡大する必要がある。また、特許文献２の無線通信装置には、アンテナの送受信感度を上げるために、アンテナ収納部に複数の貫通孔を有することが記載されているが、このように貫通孔を有することにより、表示装置の外周部の強度が低下してしまうという問題がある。
【０１５３】
本明細書には、上記の課題を解決する以下の発明が含まれる。これらの発明の目的は、アンテナの送受信性能が良好なアンテナを有し、狭額縁且つ薄型の表示装置を提供することにある。
【０１５４】
（発明１）
表示部の周囲を囲むフレーム部と、
無線通信を行うためのアンテナと、を備えており、
前記アンテナは、アンテナ素子を有し、
前記アンテナ素子は、前記フレーム部の外縁から外側に迫り出して配置されていることを特徴とする表示装置。
【０１５５】
ここで、アンテナの全体をフレーム部と重なる箇所であり、表示装置の表示部側に設置したとする。この場合、アンテナが送受信できるビーム方向の範囲は、表示部およびフレーム部の影響を受け、当該アンテナを中心に、表示装置の前方方向の空間（全方向の半分程度の空間）になる。また、アンテナをフレーム部と重なる箇所であり、表示部の背面側に設置したとする。この場合、アンテナが送受信できるビーム方向の範囲は、表示部およびフレーム部の影響を受け、当該アンテナを中心に、表示装置の背面方向の空間（全方向の半分程度の空間）になる。
【０１５６】
しかし、上記の構成のようにアンテナ素子がフレーム部の外縁から外側に迫り出すようにアンテナを配置することにより、当該アンテナのビーム方向の範囲は、表示装置の前方方向から背面方向の空間にわたる。したがって、このようにアンテナを、配置することにより、当該アンテナの開放空間が広がり、アンテナのビーム方向の制限がより緩和される。よって、表示装置の厚さを厚くすることなく、また、狭額縁且つ薄型を維持したまま、電波の到来方向による送受信性能の劣化が好適に解消される。
【０１５７】
（発明２）
前記アンテナは、当該表示装置が正置された状態において前記表示部の鉛直方向下側に配置されていることを特徴とする発明１に記載の表示装置。
【０１５８】
表示装置が壁面に設置された際、当該表示装置の下部は開放されていることが多い。そのため、上記構成によれば、壁面に設置された表示装置において、アンテナ特性をより好適に向上させることができる。
【０１５９】
（発明３）
前記アンテナは、前記アンテナ素子に結合されたグランド部を有し、
前記グランド部は、前記フレーム部内に配置されていることを特徴とする発明１または発明２に記載の表示装置。
【０１６０】
このようにグランド部を配置することにより、アンテナの全体をフレーム部の外縁から外部に迫り出して配置する場合に比べ、額縁を狭くすることができる。
【０１６１】
（発明４）
前記アンテナは、平面アンテナであることを特徴とする発明１から３の何れか１つに記載の表示装置。
【０１６２】
上記構成によれば、表示装置の厚さを厚くすることなく、前記アンテナを配置することができる。
【０１６３】
（発明５）
外部からの操作信号を受信する受信回路を更に備え、
前記アンテナと前記受信回路とが、共通の基板上に形成されていることを特徴とする発明１から４の何れか１つに記載の表示装置。
【０１６４】
ユーザが表示装置を利用する際、受信回路の前面に外部からの操作信号を遮る物体が配置されることは少ない。つまり、アンテナと受信回路とが共通の基板上に形成されていることにより、当該アンテナの表示装置の前面方向には、当該アンテナの電波を遮る物体が配置されている可能性は低い。そのため、表示装置の前面方向において、アンテナの送受信性能の劣化が好適に解消される。また、表示装置の部品点数を削減することができ、表示装置の軽量化を実現することができる。
【０１６５】
（発明６）
前記アンテナは、前記表示装置に複数配置され、
当該複数のアンテナは、ダイバシチアンテナを構成することを特徴とする発明１から５の何れか１つに記載の表示装置。
【０１６６】
このようにダイバシチアンテナを構成することにより、さらに送受信性能を向上させることができる。
【０１６７】
（発明７）
前記アンテナは、当該表示装置が正置された状態において前記表示部の鉛直方向下側に２つ配置されていることを特徴とする発明６に記載の表示装置。
【０１６８】
このように２つのアンテナを用いることにより、複数の周波数帯に対応させることもできる。よって、更なる送受信性能の向上を図ることができる。
【０１６９】
（発明８）
発明１から７の何れか１つに記載の表示装置を備えていることを特徴とするテレビジョン受像機。
【０１７０】
上記の構成によれば、テレビジョン受像機においても、上記表示装置と同様の効果を得ることができる。
【０１７１】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１７２】
本発明は、テレビジョン受像機の取付金具などの取付システムの製造分野において好適に利用することができる。
【符号の説明】
【０１７３】
１０  ブラケット
１１  背板部
１１ａ  上方フリンジ
１１ｂ  下方フリンジ
１３  上板部
１４  前板部
１５  下板部
１６  開口部
１７  案内溝
１７ａ  案内溝上部
１７ｂ  案内溝下部
１８  貫通孔
１９  空隙
２０  補助ブラケット
２１  背板部
２２  レール溝
２３  開口部
２４  導入部
２８  貫通孔
３０  係止ピン
３１  頭部
３２  円柱部
３３  首部
３４  軸部
３５  面取り部
３６  回転部（回転滑子）
３７  スプリングワッシャー
４０  係止ピン
４１  頭部
４２  円柱部
４３  軸部
５０  壁面
１００  テレビ（対象物、表示装置）
１０１  ラバーパッド
１０２  カバー
１０３  アンテナ
１０４  ＯＰＣ／ＩＲ受光部
１０５  アンテナ素子
１０６  アンテナグランド（グランド部）
１１０  表示部（液晶表示パネル）
１２０  外枠
１３０  スタンド
１１２    ベゼル
１１４    フレーム
１１８    パネルガイド
１２１    両面テープ
１２２    固定ボス部
１２３    切り欠き部
１２４    ビス
１２５    ビス
１２６    背面カバー
２００    シート類
３００    バックライトユニット
３３２    バックライトパネル
３３４    ＬＥＤ基板
３３５    ＬＥＤアレイ
３３６    バックライトシャーシ（シャーシ）
【図１】
2013062785.tif 000003
【図２】
2013062785.tif 000004
【図３】
2013062785.tif 000005
【図４】
2013062785.tif 000006
【図６】
2013062785.tif 000007
【図７】
2013062785.tif 000008
【図８】
2013062785.tif 000009
【図９】
2013062785.tif 000010
【図１０】
2013062785.tif 000011
【図１１】
2013062785.tif 000012
【図１２】
2013062785.tif 000013
【図１３】
2013062785.tif 000014
【図１４】
2013062785.tif 000015
【図１５】
2013062785.tif 000016
【図１６】
2013062785.tif 000017
【図１７】
2013062785.tif 000018
【図１８】
2013062785.tif 000019
【図１９】
2013062785.tif 000020
【図２０】
2013062785.tif 000021
【図２１】
2013062785.tif 000022
【図２２】
2013062785.tif 000023
【図２３】
2013062785.tif 000024
【図２４】
2013062785.tif 000025
【図５】
2013062785.tif 000026
【図２５】
2013062785.tif 000027
【図２６】
2013062785.tif 000028
【図２７】
2013062785.tif 000029
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
ピンが取り付けられた対象物を壁面に掛着するためのブラケットであって、
前記壁面に取り付けられる背板部と前記背板部に対向する前板部とを備え、
前記前板部には、該前板部の上端から下方に向かって伸びる案内溝が形成されており、
首部が前記案内溝に嵌めこまれた前記ピンの頭部が前記背板部と前記前板部とにより挟持されるよう、前記背板部と前記前板部との間隔が、上方において広く下方において狭くなっている、ことを特徴とするブラケット。
【請求項２】
前記背板部と前記前板部との間隔を上方において広く下方において狭くするために、上記前板部の前記背板部に対向する面が下方において前記背板部側に迫り出している、ことを特徴とする請求項１に記載のブラケット。
【請求項３】
前記前板部には、該前板部の上端から下方に向かって伸びる２本の案内溝が形成されている、ことを特徴とする請求項１または２に記載のブラケット。
【請求項４】
前記案内溝は、屈曲している、ことを特徴とする請求項１から３の何れか１項に記載のブラケット。
【請求項５】
前記案内溝は、「く」の字状または「逆く」の字状に屈曲している、ことを特徴とする請求項４に記載のブラケット。
【請求項６】
前記対象物は、テレビジョン受像機である、ことを特徴とする請求項１から５の何れか１項に記載のブラケット。
【請求項７】
請求項１から６の何れか１項に記載のブラケットと、上記ピンとを含む取付システム。
【請求項８】
上記ブラケットと共に上記壁面に取り付けられる補助ブラケットであって、前記対象物が揺動しないように前記対象物を支持する補助ブラケットを更に含むことを特徴とする請求項７に記載の取付システム。
【請求項９】
前記ピンの首部は、円柱部と、前記円柱部に挿嵌された回転滑子とを備えていることを特徴とする請求項７または８に記載の取付システム。
【請求項１０】
請求項８に記載の取付システムに含まれるブラケットおよび補助ブラケットを壁面に取り付けるための型紙であって、ブラケットおよび補助ブラケットの取り付け位置が原寸大で記載されていることを特徴とする型紙。